(57)【要約】【課題】  上位の容器の通水孔から下位の容器の通水孔に汚水を確実に導き、容器外面を、汚水によって汚染したり、濡らしたりすることのない、発泡合成樹脂製保冷容器を提供すること。【解決手段】  容器内に被収容物と共に氷を収容し、氷によって被収容物を冷却するようにした発泡合成樹脂製保冷容器であって、該容器１の側壁上端面７ａから下面３ａに貫通する通水孔８を形成すると共に、容器内底部９に前記通水孔８に連通する排水孔１０を形成し、該容器１を積み重ねたときに上位の容器の通水孔８から下位の容器の通水孔８に汚水を導くようにした発泡合成樹脂製保冷容器において、上記容器下面３ａの上記通水孔８の周囲に、溝１３を形成したことを特徴とする。【選択図】        図４
2006347575.tif 000002
【特許請求の範囲】
【請求項１】
容器内に被収容物と共に氷を収容し、氷によって被収容物を冷却するようにした発泡合成樹脂製保冷容器であって、該容器の側壁上端面から下面に貫通する通水孔を形成すると共に、容器内底部に前記通水孔に連通する排水孔を形成し、該容器を積み重ねたときに上位の容器の通水孔から下位の容器の通水孔に汚水を導くようにした発泡合成樹脂製保冷容器において、上記容器下面の上記通水孔の周囲に、溝を形成したことを特徴とする、発泡合成樹脂製保冷容器。
【請求項２】
上記容器の側壁上端面に、上記通水孔に汚水を導く傾斜部を形成したことを特徴とする、請求項１に記載の発泡合成樹脂製保冷容器。
【請求項３】
上記容器に貫通して設けた上記通水孔と合致する位置に貫通孔を設けた蓋体を被蓋する発泡合成樹脂製保冷容器において、該蓋体裏面の上記貫通孔の周囲に、溝を形成したことを特徴とする、請求項１又は２のいずれかに記載の発泡合成樹脂製保冷容器。
【請求項４】
上記蓋体の表面に、上記貫通孔に汚水を導く傾斜部を形成したことを特徴とする、請求項３に記載の発泡合成樹脂製保冷容器。
【発明の詳細な説明】
【技術分野】
【０００１】
本発明は、発泡合成樹脂製保冷容器に関するものである。
【背景技術】
【０００２】
従来から、鮮魚、青果物、生鮮食品等の被収容物を収容して使用される保冷容器として、上記被収容物と共に氷を収容する関係上、被収容物に由来する液体、例えば、鮮魚からでる血、また氷の融解水（本発明においては、これらの総称して「汚水」と言う。）の排水手段として、容器の側壁上端面から下面に貫通する通水孔を形成すると共に、容器内底部に前記通水孔に連通する排水孔を形成し、該容器を積み重ねたときに上位の容器の通水孔から下位の容器の通水孔に汚水を導くようにした発泡合成樹脂製保冷容器が存在する（例えば、特許文献１の図１，図２、特許文献２の図７等参照）。
【０００３】
かかる保冷容器においては、汚水が容器外面を流れ落ちることはなく、容器外面の汚染が防止できると共に、容器外面が濡れないために、容器を持つ作業者の手が滑ることがないと考えられていた。
【０００４】
【特許文献１】実登第３０４３５２１号公報
【特許文献２】特開２００４−７５１９０号公報
【発明の開示】
【発明が解決しようとする課題】
【０００５】
しかしながら、図９に示したように、実際には、上下方向に積み重ねた容器５０，５０の合わせ面において、外方にまで至る狭い隙間Ｘが形成され、該隙間Ｘを介して毛細現象によって汚水が外方にまで滲みだし、容器外面を濡らすことが生じていた。
なお、図９において、５１は容器側壁に設けられた通水孔、５２は容器内底部に設けられた排水孔である。
【０００６】
本発明は、上述した従来の容器の実情に鑑みて成されたものであって、その目的は、上位の容器の通水孔から下位の容器の通水孔に汚水を確実に導き、容器外面を、汚水によって汚染したり、濡らしたりすることのない、発泡合成樹脂製保冷容器を提供することにある。
【課題を解決するための手段】
【０００７】
上記した目的を達成するため、本発明に係る発泡合成樹脂製保冷容器は、容器内に被収容物と共に氷を収容し、氷によって被収容物を冷却するようにした発泡合成樹脂製保冷容器であって、該容器の側壁上端面から下面に貫通する通水孔を形成すると共に、容器内底部に前記通水孔に連通する排水孔を形成し、該容器を積み重ねたときに上位の容器の通水孔から下位の容器の通水孔に汚水を導くようにした発泡合成樹脂製保冷容器において、上記容器下面の上記通水孔の周囲に、溝を形成したことを特徴とする。
【０００８】
ここで、上記本発明に係る発泡合成樹脂製保冷容器において、上記容器の側壁上端面に、上記通水孔に汚水を導く傾斜部を更に形成すること、また、上記容器に貫通して設けた上記通水孔と合致する位置に貫通孔を設けた蓋体を被蓋する発泡合成樹脂製保冷容器において、該蓋体裏面の上記貫通孔の周囲にも、溝を形成すること、更には、上記蓋体の表面にも、上記貫通孔に汚水を導く傾斜部を形成することは、いずれも好ましい実施の形態である。
【発明の効果】
【０００９】
上記した本発明に係る発泡合成樹脂製保冷容器によれば、通水孔の下端開口の周囲に溝が形成されているため、該溝によって、容器を積み重ねた際の当接部に形成される隙間の途中に空間層が形成され、毛細現象がこの部分で断たれることとなるため、汚水が隙間を介して外方にまで滲みだすことが効果的に阻止される。これによって、容器外面を、汚水によって汚染したり、濡らしたりすることがない。
【発明を実施するための最良の形態】
【００１０】
以下、上記した本発明に係る発泡合成樹脂製保冷容器の実施の形態を、図面を参照しながら詳細に説明する。
ここで、図１は、本発明に係る発泡合成樹脂製保冷容器の一実施の形態を示した斜視図、図２は、該実施の形態の上面一部を拡大して示した斜視図、図３は、同じ実施の形態の下面一部を拡大して示した斜視図である。また、図４は、上記実施の形態の発泡合成樹脂製保冷容器を、複数段積み重ねた状態を示した一部切欠き斜視図、図５は、同断面図である。
【００１１】
図示した本発明に係る発泡合成樹脂製保冷容器１は、発泡合成樹脂、例えば、発泡ポリステレン、発泡ポリエチレン、発泡ポリプロピレン等によって、上方に開口２を有する矩形の箱体に成形されている。
【００１２】
上記容器１の底壁３の下面３ａには、図３に示したように、凸部４が形成され、該凸部４が、下位の容器１の開口２に嵌合することにより、安定した状態で複数の該容器１，１・・を積み重ね得るように構成されている。また、該容器１の底壁３の適宜な箇所には、複数の肉盗み用の凹部５，５・・が形成され、また、対向する底壁端部には、各々把手用の凹部６，６が形成されている。
【００１３】
また、上記容器１の側壁７の４隅には、その上端面７ａから底壁３の下面３ａに貫通する通水孔８が各々形成され、容器１の内側底部９の４隅には、上記通水孔８に連通し、且つ底壁３の下面３ａに開口する排水孔１０が、各々形成されている。
【００１４】
上記側壁７の４隅に形成された通水孔８の上端には、図２に示したように、ロート状の第１の傾斜部１１、および側壁７の内側上端から通水孔８に向かって下り勾配の扇状の第２の傾斜部１２が、各々形成されている。
【００１５】
また、上記通水孔８の下端開口（排水孔１０の開口にも相当する。）の周囲には、図３に示したように、平面視Ｕ字状の溝１３が、その不連続部１３ａを内方に向けて、容器１の底壁下面３ａに形成されている。
【００１６】
上記のように構成された本発明に係る発泡合成樹脂製保冷容器１を、複数段積み重ねると、図４及び図５に示したように、各々の容器１に形成された通水孔８が上下方向に連通し、上位の容器１の通水孔８から、下位の容器１の通水孔８に汚水が流れる。
【００１７】
この際、従来の容器構造である場合には、図９に基づいて先にも説明したように、積み重ねた上位の容器５０と下位の容器５０との当接部に、外方にまで至る狭い隙間Ｘが形成されるため、該隙間Ｘを介して毛細現象によって汚水が外方にまで滲みだし、容器外面を濡らすことが生じていたが、本発明に係る容器１においては、通水孔８の下端開口の周囲に溝１３が形成されているため、図５の断面図に示したように、該溝１３によって外方に延びる隙間Ｘの途中に空間層が形成され、毛細現象がこの部分で断たれることとなるため、汚水が外方にまで滲みだすことが効果的に阻止される。
【００１８】
また、図示は省略したが、容器１内には被収容物と共に氷が入れられ、被収容物から流出した液体、例えば魚からでた血、また入れられた氷の融解水（本発明においては、先にも記載したように、これらを「汚水」と言う。）は、容器１の内側底部９の４隅に形成された排水孔１０を介して、上下方向に連通した状態にある上記通水孔８に流入することとなる。
【００１９】
この際、本発明に係る容器１においては、図４及び図５に示したように、上位の排水孔１０の開口に位置する部分に、下位の通水孔８の上端に形成された上記傾斜部１１，１２が位置し、該傾斜部１１，１２中、特にロート状の第１の傾斜部１１が、上位の容器１の通水孔８からの汚水を受ける状態で下位の容器１の通水孔８に導く作用を果たし、また、特に側壁７の内側上端から通水孔８に向かって下り勾配の扇状の第２の傾斜部１２が、排水孔１０からの汚水を下位の通水孔１０に効率的に導く作用を果たすため、上位の容器１と下位の容器１との当接部に存在する隙間Ｘに、汚水が浸入し難い構造のものとなり、やはり、汚水が容器外面を流れ落ちることがより効果的に阻止される。
【００２０】
上記のようなことから、本発明に係る発泡合成樹脂製保冷容器１においては、該容器１を複数段積み重ねた際に形成される上下方向に連通する通水孔８に、容器内の汚水が効率的に導かれ、しかも、上位の容器と下位の容器との当接部に存在する隙間Ｘから汚水が外方に滲みだすこともないため、容器外周の汚染が防止され、また、容器外面が濡れないために、容器を持つ作業者の手が滑ることがない。
【００２１】
次に、上記した本発明に係る発泡合成樹脂製保冷容器に被蓋する蓋体の実施の形態を、図６乃至図８に基づいて説明する。
ここで、図６は、本発明に係る発泡合成樹脂製保冷容器に被蓋する蓋体の一実施の形態の表面一部を示した斜視図、図７は、同じ実施の形態の裏面一部を示した斜視図である。また、図８は、上記実施の形態の蓋体を被蓋した発泡合成樹脂製保冷容器を、複数段積み重ねた状態を示した断面図である。
【００２２】
図示した本発明に係る発泡合成樹脂製保冷容器に被蓋する蓋体２０は、上記した容器１と同様に、発泡合成樹脂、例えば、発泡ポリステレン、発泡ポリエチレン、発泡ポリプロピレン等によって、矩形の板体に成形されている。
【００２３】
上記蓋体２０の表面２０ａには、図６に示したように、凹部２１が形成され、該凹部２１に、上位の容器１の凸部４が嵌合することにより、安定した状態で該蓋体２０を被蓋した複数の容器１，１・・を積み重ね得るように構成されている。また、蓋体２０の裏面２０ｂには、図７に示したように、環状の凸条２２が形成され、該凸条２２が、容器１の開口２に嵌まり込み、該蓋体２０が容器１を被蓋するように構成されている。
【００２４】
また、上記蓋体２０には、上記容器１に貫通して設けられた上記通水孔８と合致する位置に、該蓋体２０の表面２０ａ及び裏面２０ｂに開口する貫通孔２３が形成されている。そして、この貫通孔２３の表面開口の周囲には、図６に示したように、ロート状の第１の傾斜部２４、および内側上端から貫通孔２３に向かって下り勾配の扇状の第２の傾斜部２５が、各々形成されている。また、上記貫通孔２３の裏面開口の周囲には、図７に示したように、環状の溝２６が形成されている。
【００２５】
上記のように構成された蓋体２０を被蓋した本発明に係る発泡合成樹脂製保冷容器１を、複数段積み重ねると、図８に示したように、各々の蓋体２０及び容器１に形成された貫通孔２３及び通水孔８が上下方向に連通し、蓋体２０の貫通孔２３から容器１の通水孔８に汚水が流れると共に、上位の容器１の通水孔８から下位の蓋体２０の貫通孔２３に汚水が流れる。
【００２６】
この際、本発明に係る発泡合成樹脂製保冷容器１に被蓋した蓋体２０においては、貫通孔２３の裏面開口の周囲に溝２６が形成されているため、該蓋体２０を被蓋した容器１との当接部に形成される隙間Ｙの途中に、該溝２６によって空間層が形成され、この部分で毛細現象が断たれることとなるため、汚水が外方にまで滲みだすことが阻止される。また、蓋体を被蓋した容器を積み重ねることにより上位の容器１と下位の蓋体２０との当接部に形成される隙間Ｚは、容器１の通水孔８の下端開口の周囲に形成された上記溝１３によってその途中に空間層が形成され、毛細現象がこの部分で断たれることとなるため、やはり、汚水が外方にまで滲みだすことが阻止される。
【００２７】
また、容器１内の汚水は、容器１の内側底部９の４隅に形成された上記排水孔１０を介して、下位の蓋体２０上に落下することとなるが、本発明に係る発泡合成樹脂製保冷容器１に被蓋した蓋体２０においては、上位の容器１の排水孔１０の開口に位置する部分に、該蓋体２０の貫通孔２３の表面開口の周囲に形成された傾斜部２４，２５が位置し、該傾斜部２４，２５中、特にロート状の第１の傾斜部２４が、上位の容器１の通水孔８からの汚水を受ける状態で下位の蓋体２０の貫通孔２３に導く作用を果たし、また、、特に内側上端から貫通孔２３に向かって下り勾配の扇状の第２の傾斜部２５が、排水孔１０からの汚水を蓋体２０の貫通孔２３に効率的に導くため、上位の容器１と下位の蓋体２０との当接部に形成される隙間Ｚに、汚水が浸入し難い構造のものとなり、やはり、汚水が容器外面を流れ落ちることがより効果的に阻止される。
【００２８】
上記のようなことから、上記蓋体２０を被蓋した本発明に係る発泡合成樹脂製保冷容器１においては、容器外周の汚水による汚染が防止され、また、容器外面が汚水によって濡れないために、容器を持つ作業者の手が滑ることがない。
【００２９】
以上、本発明に係る発泡合成樹脂製保冷容器の実施の形態を説明したが、本発明は、何ら既述の実施の形態に限定されず、特許請求の範囲に記載した本発明の要旨を逸脱しない範囲内において、種々変形及び変更を加え得ることは当然である。
【００３０】
例えば、上記実施の形態では、本発明に係る発泡合成樹脂製保冷容器として、ブリ、カツオ、マグロ等の比較的大型の魚をまるごと収納し得る長尺な箱体を図示したが、小型の魚を複数収納する偏平な箱体であっても良い。また、上記実施の形態では、容器の側壁上端面から下面に貫通する通水孔の形成位置として、側壁の４隅に形成したものを示したが、側壁の途中にその上端面から下面に貫通する通水孔を形成しても良い。さらに、上記実施の形態では、容器内底部に、前記通水孔に連通し、且つ容器の底壁下面に開口する排水孔を形成したものを示したが、容器の側壁を貫通する通水孔のみに連通する排水孔、即ち、容器の底壁下面には開口しない排水孔としても良い。
【００３１】
また、上記実施の形態では、容器下面の上記通水孔の周囲に形成する溝として、不連続部を内方に向けた平面視Ｕ字状の溝としたが、当然、通水孔の周囲を連続的に囲む環状の溝としても良い。但し、環状の溝を形成するスペースが無い場合等には、少なくとも外方への毛細現象による汚水の滲みだしを阻止する観点から、不連続部を内方に向けた平面視Ｕ字状の溝とすることは好適な実施の形態である。
【００３２】
更に、上記実施の形態で示した上下方向に容器を安定的に積み重ね得るようにした構造、および容器と蓋体との嵌合構造は、一例を示したに過ぎず、公知の種々の構造を採用できることは当然である。
【図面の簡単な説明】
【００３３】
【図１】本発明に係る発泡合成樹脂製保冷容器の一実施の形態を示した斜視図である。
【図２】図１に示した容器の上面一部を拡大して示した斜視図である。
【図３】図１に示した容器の下面一部を拡大して示した斜視図である。
【図４】図１に示した容器を複数段積み重ねた状態を示した一部切欠き斜視図である。
【図５】図１に示した容器を複数段積み重ねた状態を示した断面図である。
【図６】本発明に係る発泡合成樹脂製保冷容器に被蓋する蓋体の一実施の形態の表面一部を示した斜視図である。
【図７】図６に示した蓋体の裏面一部を示した斜視図である。
【図８】図６に示した蓋体を被蓋した発泡合成樹脂製保冷容器を複数段積み重ねた状態を示した断面図である。
【図９】従来の発泡合成樹脂製保冷容器を複数段積み重ねた状態を示した断面図である。
【符号の説明】
【００３４】
１      発泡合成樹脂製保冷容器
２      開口
３      底壁
４      凸部
５      肉盗み用の凹部
６      把手用の凹部
７      側壁
８      通水孔
９      容器の内側底部
１０    排水孔
１１    ロート状の第１の傾斜部
１２    扇状の第２の傾斜部
１３    平面視Ｕ字状の溝
２０    蓋体
２１    凹部
２２    凸条
２３    貫通孔
２４    ロート状の第１の傾斜部
２５    扇状の第２の傾斜部
２６    環状の溝
Ｘ      上位の容器と下位の容器との当接部に形成される隙間
Ｙ      被蓋した蓋体と容器との当接部に形成される隙間
Ｚ      上位の容器と下位の蓋体との当接部に形成される隙間
【図１】
2006347575.tif 000003
【図２】
2006347575.tif 000004
【図３】
2006347575.tif 000005
【図４】
2006347575.tif 000006
【図５】
2006347575.tif 000007
【図６】
2006347575.tif 000008
【図７】
2006347575.tif 000009
【図８】
2006347575.tif 000010
【図９】
2006347575.tif 000011